(57)【特許請求の範囲】
【請求項１】
設置基部に固定される固定パイプの外周を連結状態において外嵌する一対の分割カバーからなり、
各分割カバーには固定パイプ対応縁に該固定パイプの長手方向に延び、かつスリットにより複数に分離されてそれぞれが単独で弾性変形可能な弾性脚が設けられるとともに、
複数に分離された弾性脚の自由端には、固定パイプの外周壁面に圧接する押圧突起が設けられ、
かつ、前記弾性脚は、連結状態の一対の分割カバーが固定パイプ上の適宜位置に保持される圧力で押圧突起を固定パイプに圧接させる弾性を備える固定パイプの化粧カバー装置。
【請求項２】
前記分割カバー同士が、連結縁の外方先端部において連結縁に対して直交方向に係合しあう請求項１記載の固定パイプの化粧カバー装置。
【請求項３】
設置基部に固定される固定パイプの外周を連結状態において外嵌する同一形状に形成された一対の分割カバーからなり、
各分割カバーは、他の分割カバーと接触する一対の連結縁の一方に裏面側に向けて舌片状に突設される係止片を、他方の連結縁に前記係止片が係合可能な係合孔を備えるとともに、固定パイプ対応縁に該固定パイプの長手方向に延びる弾性脚を備え、
弾性脚には、固定パイプの外周壁面に圧接する押圧突起が設けられ、
かつ、前記弾性脚は、連結状態の一対の分割カバーが固定パイプ上の適宜位置に保持される圧力で押圧突起を固定パイプに圧接させる弾性を備え、
一対の分割カバーを、係合孔が係止片下端に位置するように連結縁同士を接触させた後、係合方向にひねって係合、連結可能で、かつ連結状態において固定パイプ上の適宜位置に保持可能な固定パイプの化粧カバー装置。
【発明の詳細な説明】
【０００１】
【発明の属する技術分野】
本発明は、固定パイプの化粧カバー装置に関するものである。
【０００２】
【従来の技術】
手摺装置等を壁面等の設置基部１に固定する際には、手摺杆自体、あるいはブラケット等を設置基部に固定する必要があり、固定後に設置基部への固定部を化粧カバーで覆うことが行われる。
【０００３】
そして、例えば、手摺装置への応用としては、特開２０００-４５４７８号公報に記載されたものが知られている。この従来例において、化粧カバーは連結した状態で手摺パイプの端部を外嵌する一対のカバー体により構成され、手摺パイプへの装着は、カバー体を連結した後、各カバー体に設けた凸片部を壁面側に固定された取付基部に係止させて固定することにより行われる。
【０００４】
【発明が解決しようとする課題】
しかし、上述した従来例には以下の欠点がある。まず、化粧カバーは壁面等に予め固定された取付基部に凸片部を係止させて所定位置に保持する構造をとるために、取付基部、およびカバー体の双方に係止手段を設ける必要があり、構造が複雑になる上に、取付基部への係止作業を要するために、取付作業性も低下する。また、カバー体は装着状態において取付基部に弾発的に係合しているために、取外しが困難で、保守性に劣る。
【０００５】
さらに、カバー体は連結部のみが異なり、全体形状がほぼ同一の２種類のものを使用する必要があるために、部品種類が増加する。
【０００６】
本発明は、以上の欠点を解消すべくなされたものであって、構造が簡単で、かつ、装着作業性の良好な固定パイプの化粧カバー装置の提供を目的とする。また、本発明の他の目的は、部品を共通化することにより部品種類を少なくすることのできる固定パイプの化粧カバー装置の提供にある。
【０００７】
【課題を解決するための手段】
本発明によれば上記目的は、
設置基部１に固定される固定パイプ２の外周を連結状態において外嵌する一対の分割カバー３からなり、
各分割カバー３には固定パイプ２対応縁に該固定パイプ２の長手方向に延び、かつスリット４ａにより複数に分離されてそれぞれが単独で弾性変形可能な弾性脚４が設けられるとともに、
複数に分離された弾性脚４の自由端には、固定パイプ２の外周壁面に圧接する押圧突起５が設けられ、
かつ、前記弾性脚４は、連結状態の一対の分割カバー３が固定パイプ２上の適宜位置に保持される圧力で押圧突起５を固定パイプ２に圧接させる弾性を備える固定パイプの化粧カバー装置を提供することにより達成される。
【０００８】
本発明において、固定パイプ２とは、所定の装置と壁面等の設置基部１とを連結するための連結部材を総称するもので、手摺装置にあっては、手摺杆を支持するためのブラケット、あるいは支持パイプのような杆体、さらには手摺杆そのものであってもよい。
【０００９】
化粧カバー装置を構成する分割カバー３は、固定パイプ２外周を外嵌する形状に連結可能であり、連結状態において、各分割カバー３の押圧突起５は固定パイプ２の外周壁面に圧接する。押圧突起５の圧接により化粧カバーと固定パイプ２との間には適度の摺動抵抗が発生するために、固定パイプ２上の適宜位置に保持することができる。
【００１０】
したがってこの発明において、化粧カバー装置は、固定パイプ２上の適宜位置において２個の分割カバー３を連結した後、固定パイプ２に沿って壁面等の設置基部１に当接するまでずらせるだけで装着が完了するために、作業性が向上する。また、設置基部１側には何等の連結手段を要しないために構造が簡単になる。さらに、化粧カバーは一旦固定パイプ２上の適宜位置まで移動させた後、分割カバー３同士の連結を解除するだけで取り外すことができるために保守性が向上する。
【００１１】
連結状態において分割カバー３間の連結縁６には分離方向の力が負荷されるが、分割カバー３同士が、連結縁６の外方先端部において連結縁に対して直交方向に係合しあうように構成すると、連結縁６での隙間発生を完全に防止できる。
【００１２】
また、化粧カバー装置は、
設置基部１に固定される固定パイプ２の外周を連結状態において外嵌する同一形状に形成された一対の分割カバー３からなり、
各分割カバー３は、他の分割カバー３と接触する一対の連結縁６の一方に裏面側に向けて舌片状に突設される係止片７を、他方の連結縁６に前記係止片７が係合可能な係合孔８を備えるとともに、固定パイプ２対応縁に該固定パイプ２の長手方向に延びる弾性脚４を備え、
弾性脚４には、固定パイプ２の外周壁面に圧接する押圧突起５が設けられ、
かつ、前記弾性脚４は、連結状態の一対の分割カバー３が固定パイプ２上の適宜位置に保持される圧力で押圧突起５を固定パイプ２に圧接させる弾性を備え、
一対の分割カバー３を、係合孔８が係止片７下端に位置するように連結縁６同士を接触させた後、係合方向にひねって係合、連結可能で、かつ連結状態において固定パイプ２上の適宜位置に保持可能に構成することができる。
【００１３】
この場合、分割カバー３は一種類で足りるために、部品種類が減少し、製造効率が向上する。
【００１４】
【発明の実施の形態】
図２に肘掛型手摺装置に適用された本発明の実施の形態を示す。肘掛型手摺装置は、図外の便器に腰掛け、あるいは便器から立ち上がる際の補助体となる肘掛９と、背もたれ板１０とを有し、これら背もたれ板１０、および肘掛９は、各々手摺杆を兼ねる固定パイプ２を介して壁面（設置基部１）に固定される。肘掛９は固定パイプ２に回転操作可能に連結され、壁面１に沿った収容位置と、水平な使用位置との間で回転する。
【００１５】
図１に示すように、上記各固定パイプ２は、断面円形のパイプ体であり、基端に溶着されたベースプレート１１を介して壁面１に固定され、化粧カバー装置Ａにより覆い隠される。なお、図１において１２は壁面１に固定されるアンカーボルトを示す。
【００１６】
化粧カバー装置Ａは、同一形状の一対の分割カバー３を連結されて形成される。分割カバー３は、合成樹脂材により形成され、図４に示すように、同心半円形状の内周円弧部１３ａと外周円弧部１３ｂとを有する半ドーナツ形状の正面壁１３を有し、正面壁１３の外周円弧部１３ｂには裏面方向に向けて全周に渡って立ち上がり壁１４が設けられる。
【００１７】
上記分割カバー３の内周円弧部１３ａには、裏面方向に向けて所定高さの弾性脚４が立設され、各弾性脚４から内周円弧部１３ａの曲率中心Ｃに向けて押圧突起５が設けられる。弾性脚４同士はスリット４ａにより分離され、各弾性脚４は単独で弾性変形することができる。また、押圧突起５の先端を結ぶ円弧５ａの曲率半径Ｒは、対応する固定パイプ２の曲率半径よりやや小さく設定される。さらに、後述するように、押圧突起５に外方への負荷が与えられたときに弾性脚４が有効に弾性変形し、かつ、適宜の復元力が発揮されるように、押圧突起５は各弾性脚４の自由端に配置される。
【００１８】
分割カバー３の内周円弧部１３ａを挟んで位置する一対の直線部（連結縁６）の一方には裏面に補強リブ７ａを設けた係止片７が、他方には係合孔８がそれぞれ設けられる。係止片７は連結縁６の中央部から裏面側に向けて舌片状に突設され、係合孔８は該係止片７、および補強リブ７ａが嵌合可能な大きさに形成される。これら係止片７と係合孔８は、正面壁１３を同一方向に向けて２個の分割カバー３の連結縁６同士を対面させた際に相互に嵌合可能な位置に配置される。
【００１９】
また、分割カバー３の立ち上がり壁１４の両端部、すなわち、連結縁６の外方先端部には連結舌片１５と係合溝１６が形成される。連結舌片１５は立ち上がり壁１４の一方の端縁から曲率中心Ｃ方向に向けて突設され、剛性を高めるために、基端部は正面壁１３の裏面に連結される。係合溝１６は、連結縁６の他端からコ字状の突条１６ａを該連結縁６の全長に渡って突設して形成され、その基端は正面壁１３の裏面に接合される。これら連結舌片１５と係合溝１６は、上記係止片７と係合孔８とが係合した状態で相互に係合可能な位置に設けられる。
【００２０】
化粧カバー装置Ａの装着は、手摺装置を壁面１に固定した後、図１に示すように、固定パイプ２を挟み付けるようにして２個の分割カバー３の連結縁６を向かい合わせて行われる。この状態で、各分割カバー３の係止片７、および連結舌片１５は他の分割カバー３の係合孔８と係合溝１６とに対応しており、次いで、図１（ｂ）に示すように、係合孔８、および係合溝１６が壁面１側に偏位するように、双方の分割カバー３を側面視においてＸ字状をなすように傾け、この後、双方の分割カバー３を捻るようにして固定パイプ２に対して直交姿勢に戻すと、係止片７と係合孔８、そして、連結舌片１５と係合溝１６とが各々係合しあって、分割カバー３が連結される。
【００２１】
連結状態において、固定パイプ２より小寸の曲率半径Ｒを有する円周上に配置された各押圧突起５は固定パイプ２に押され、図４（ｄ）に示すように、弾性脚４が弾性変形する。この結果、各押圧突起５は固定パイプ２の外周に圧接することとなり、固定パイプ２の適宜位置に保持される（図３（ａ）参照）。また、分割カバー３同士は、連結縁６の中心部と外方先端部において係合し合っているために、連結縁６同士の接触部である分割線に隙間が発生することがない。
【００２２】
次いで、分割カバー３を連結した化粧カバー装置Ａを固定パイプ２に沿って移動させ、図３（ｂ）に示すように、各分割カバー３の立ち上がり壁１４の下端縁を壁面１に当接させると、ベースプレート１１は化粧カバー装置Ａの中空部に収容されて覆い隠され、化粧カバー装置Ａの装着が完了する。
【００２３】
なお、以上においては、肘掛型手摺装置の壁面への固定部に適用した場合を例示したが、本発明はこれに限られることなく、例えば、手摺杆の端部を壁面に固定する際にも使用することができ、この場合、手摺杆の壁面への固定部が固定パイプ２に相当する。
【００２４】
【発明の効果】
以上の説明から明らかなように、本発明によれば、構造が簡単で、かつ、装着作業性の良好な固定パイプの化粧カバー装置を得ることができる。また、分割カバーを同一形状に形成すると、部品を共通化することができ、部品種類を減少させることができる。
【図面の簡単な説明】
【図１】本発明の使用状態を示す図で、（ａ）は固定パイプへの装着状態を示す斜視説明図、（ｂ）は側面図である。
【図２】肘掛型手摺装置の全体斜視図である。
【図３】本発明の装着状態を示す図で、（ａ）は固定パイプ上で分割カバーを連結させた状態を示す斜視図、（ｂ）はベースプレートを覆い隠した状態を示す図である。
【図４】分割カバーを示す図で、（ａ）は側面図、（ｂ）は（ａ）の４Ｂ方向矢視図、（ｃ）は（ｂ）の４Ｃ-４Ｃ端断面図、（ｄ）は固定パイプへの装着状態における（ｂ）の４Ｃ-４Ｃ端断面図である。
【符号の説明】
１        設置基部
２        固定パイプ
３        分割カバー
４        弾性脚
５        押圧突起
６        連結縁
７        係止片
８        係合孔
【図１】
0004531971.tif 000002
【図２】
0004531971.tif 000003
【図３】
0004531971.tif 000004
【図４】
0004531971.tif 000005